(57)【要約】【課題】データ伝送時、チャネルの性能劣化を防止できるシンボル生成／分配装置及び方法を提供する。【解決手段】ＣＤＭＡ通信システムで、チャネル復号時リンクなどの環境による性能劣化を最小化する装置及び方法を提供する。前記たたみ込み符号器は、１／６符号化率に送信するデータを符号化し、これはチャネル符号器として使用することができる。また、前記チャネル符号器は、直接拡散方式を用いるＣＤＭＡ通信システムとマルチキャリアを使用するＣＤＭＡ通信システムの両方ともに使用することができる。前記チャネル符号器が、マルチキャリアを使用するＣＤＭＡ通信システムに使用される場合、チャネル符号器を構成する多重構成符号器の出力シンボルを定められた規則に基づいて各々のマルチキャリアチャネルに伝送し、チャネル符号器内の構成符号器は、特定構成符号器の出力が伝送チャネルで完全にオフされても全体チャネル符号器の性能劣化を最小限に抑えられる。【選択図】　図６
2004007646.tif 000002
【特許請求の範囲】
【請求項１】
入力されるデータビットを遅延して第１〜第８遅延データを発生する複数の遅延器と、
前記入力データ及び第３、第５、第６、第７、第８遅延データを排他的論理和して第１シンボルを生成する第１演算器と、
前記入力データ及び第１、第２、第３、第５、第６、第８遅延データを排他的論理和して第２シンボルを生成する第２演算器と、
前記入力データ及び第２、第３、第５、第８遅延データを排他的論理和して第３シンボルを生成する第３演算器と、
前記入力データ及び第１、第４、第５、第６、第７、第８遅延データを排他的論理和して第４シンボルを生成する第４演算器と、
前記入力データ及び第１、第４、第６、第８遅延データを排他的論理和して第５シンボルを生成する第５演算器と、
前記入力データ及び第１、第２、第４、第６、第７、第８遅延データを排他的論理和して第６シンボルを生成する第６演算器と
からなることを特徴とするチャネル符号化装置。
【請求項２】
入力されるデータビットを遅延して第１〜第８遅延データを発生する複数の遅延器と、前記入力データ及び第３、第５、第６、第７、第８遅延データを排他的論理和して第１シンボルを生成する第１演算器と、前記入力データ及び第１、第２、第３、第５、第６、第８遅延データを排他的論理和して第２シンボルを生成する第２演算器と、前記入力データ及び第２、第３、第５、第８遅延データを排他的論理和して第３シンボルを生成する第３演算器と、前記入力データ及び第１、第４、第５、第６、第７、第８遅延データを排他的論理和して第４シンボルを生成する第４演算器と、前記入力データ及び第１、第４、第６、第８遅延データを排他的論理和して第５シンボルを生成する第５演算器と、前記入力データ及び第１、第２、第４、第６、第７、第８遅延データを排他的論理和して第６シンボルを生成する第６演算器と、からなるチャネル符号器と、
前記シンボルを受信し、前記受信されたシンボルをチャネルインタリービングするチャネルインタリーバと、
前記インタリービングされたシンボルを該当チャネルの直交符号とかける直交変調器と、
前記直交変調された信号を拡散符号とかけてチャネル拡散信号を発生する拡散器と
から構成されることを特徴とする符号分割多重接続通信システムのチャネル送信装置。
【請求項３】
送信するデータを入力する時、貯蔵中のデータをシフトさせて第１〜第８遅延データを発生する過程と、
前記入力データ及び第３、第５、第６、第７、第８遅延データを排他的論理和して第１シンボルを生成し、前記入力データ及び第１、第２、第３、第５、第６、第８遅延データを排他的論理和して第２シンボルを生成し、前記入力データ及び第２、第３、第５、第８遅延データを排他的論理和して第３シンボルを生成し、前記入力データ及び第１、第４、第５、第６、第７、第８遅延データを排他的論理和して第４シンボルを生成し、前記入力データ及び第１、第４、第６、第８遅延データを排他的論理和して第５シンボルを生成し、前記入力データ及び第１、第２、第４、第６、第７、第８遅延データを排他的論理和して第６シンボルを生成する過程と
からなることを特徴とする符号分割多重接続通信システムのチャネル符号化方法。
【発明の詳細な説明】
【０００１】
【発明の属する技術分野】
本発明は、符号分割多重接続（Ｃｏｄｅ　Ｄｉｖｉｓｉｏｎ　Ｍｕｌｔｉｐｌｅ　Ａｃｃｅｓｓ：ＣＤＭＡ）通信システムのデータ伝送装置及び方法に関し、特に、データ伝送時、チャネルの性能劣化を防止できるシンボル生成／分配装置及び方法に関する。
【０００２】
【従来の技術および発明が解決しようとする課題】
現在、ＣＤＭＡ方式の通信システムは、ＩＳ−９５規格に基づいて具現されている。しかし、通信技術の発達と需要の増大に伴って通信加入者が大幅に増加しつつあり、これに伴う加入者の高品質サービス欲求を満足させるための多くの方式が提案されている。これら方式のうち、順方向リンク構造を改善する方法も提案されている。
前記順方向リンク構造の改善方法の一つとして、ＴＩＡ／ＥＩＡ　ＴＲ４５．５会議で提案された第３世代マルチキャリアＣＤＭＡシステム（３ｒｄ　ｇｅｎｅｒａｔｉｏｎ　ｍｕｌｔｉｃａｒｒｉｅｒ　ＣＤＭＡ　ｓｙｓｔｅｍ）の基本チャネル順方向リンク構造（Ｆｕｎｄａｍｅｎｔａｌ　Ｃｈａｎｎｅｌ　Ｆｏｒｗａｒｄ　Ｌｉｎｋ　Ｄｅｓｉｇｎ）がある。図１に前記マルチキャリアＣＤＭＡ順方向リンク構造を示す。
【０００３】
前記図１を参照すれば、チャネル符号器１０は入力されるデータを符号化し、レートマッチング器（ｒａｔｅ　ｍａｔｃｈｅｒ）２０で前記チャネル符号器１０から出力されるシンボルを反復及び穿孔してチャネルインタリーバ３０に供給する。この時、チャネル符号器１０に入力されるデータは複数の異なるビットレートを有するデータである。レートマッチング器２０は、前記チャネル符号器１０から出力される前記符号化したデータビット（即ち、シンボル）を反復及び穿孔して異なるレートを有するシンボルを同一のシンボルレートを有するようマッチングする。チャネルインタリーバ３０は、前記レートマッチング器２０の出力をインタリービングして出力する。前記インタリーバ３０はブロックインタリーバ（ｂｌｏｃｋ　Ｉｎｔｅｒｌｅａｖｅｒ）を使用することができる。
【０００４】
ロングコード発生器（ｌｏｎｇ　ｃｏｄｅ　ｇｅｎｅｒａｔｏｒ）９１は、加入者側で使用するロングコードを発生する。前記ロングコードは各加入者の固有の識別コードであって、各加入者に固有のコードが割当てられる。デシメータ（ｄｅｃｉｍａｔｏｒ）９２は、前記ロングコードのレートが前記インタリーバ３０から出力されるシンボルのレートと一致するよう前記ロングコードをデシメーションして出力する。加算器９３は、前記チャネルインタリーバ３０の出力と前記デシメータ９２の出力を混合して出力する。前記加算器９３は排他的論理和器（ｅｘｃｌｕｓｉｖｅ　ＯＲ　ｇａｔｅ）を使用することができる。
【０００５】
逆多重化器（ｄｅｍｕｌｔｉｐｌｅｘｅｒ）４０は、前記加算器９３から出力されるデータを順次に逆多重化して各キャリアＡ，Ｂ，Ｃに出力する。第１〜第３レベル変換器５３は、入力データを‘０’は‘＋１’に、‘１’は‘−１’に変換して前記逆多重化器４０から出力されるバイナリーデータ（ｂｉｎａｒｙ　ｄａｔａ）の信号レベルを変換して出力する。第１〜第３直交変調器６１〜６３は、各々対応する第１〜第３レベル変換器５１〜５３から出力されるデータを各々対応するウォールシ符号（Ｗａｌｓｈ　ｃｏｄｅ）によって符号化して出力する。前記ウォールシ符号は２５６ビットの長さを有する。第１〜第３拡散器７１〜７３は、各々対応する第１〜第３直交変調器６３の出力を変調出力する。ここで、前記拡散器７１〜７３は、ＱＰＳＫ変調器（Ｑｕａｄｒａｔｕｒｅ　Ｐｈａｓｅ　Ｓｈｉｆｔ　Ｋｅｙｉｎｇ　Ｓｐｒｅａｄｅｒ）を使用することができる。第１〜第３減衰器８１〜８３は、各々対応する第１〜第３拡散器７１〜７３から出力される拡散信号の利得を各々対応する減衰制御信号ＧＡ〜ＧＣによって調整して出力する。この時、前記第１〜第３減衰器８１〜８３から出力される信号は各々異なるキャリアＡ，Ｂ，Ｃになる。
【０００６】
図１のような構造を有する順方向リンク構造では、Ｒ＝１／３の符号化率を有するチャネル符号器１０が入力データをビット当たり３ビットの符号化データ（ｃｏｄｅ　ｗｏｒｄｓ　ｏｒ　ｓｙｍｂｏｌｓ）に符号化し、このように符号化したデータをレートマッチング及びチャネルインタリービング後、三つのマルチキャリアＡ，Ｂ，Ｃに逆多重化する。
前記図１のマルチキャリアＣＤＭＡ通信システムは、逆多重化器４０を排除し、単一のキャリアを使用する単一のレベル変換器、直交変調器、拡散器及び利得調整器を使用することによって単一キャリアＣＤＭＡ通信システムに変形することもできる。
【０００７】
図２は、前記チャネル符号器１０、レートマッチング器２０及びチャネルインタリーバ３０の構造を示す図であって、第１レートのデータが２０ｍｓのフレーム当たり１７２ビット（ｆｕｌｌ　ｒａｔｅ）からなり、第２レートのデータが２０ｍｓのフレーム当たり８０ビット（１／２レート）からなり、第３レートのデータが２０ｍｓのフレーム当たり４０ビット（１／３レート）からなり、第４レートのデータが２０ｍｓのフレーム当たり１６ビット（１／８レート）からなる場合の構成を示している。
【０００８】
前記図２を参照すれば、第１〜第４ＣＲＣ発生器１１１〜１１４は、相異なるレートを有する入力データに各々該当するＣＲＣビットを生成して加える。この時、第１レートの１７２ビットデータには１２ビットのＣＲＣを加え、第２レートの８０ビットデータには８ビットのＣＲＣデータを加え、第３レートの４０ビットデータには６ビットのＣＲＣデータを加え、第４レートの１６ビットデータには６ビットのＣＲＣデータを加える。
第１〜第４テールビット発生器１２１〜１２４は、前記ＣＲＣデータの加えられたデータ（ＣＲＣ−ａｄｄｅｄ　ｄａｔａ）の各々に対して８ビットのテールビットを加えて出力する。従って、第１テールビット発生器１２１の出力は１９２ビットになり、第２テールビット発生器１２２の出力は９６ビットになり、第３テールビット発生器１２３の出力は５４ビットになり、第４テールビット発生器１２４の出力は３０ビットになる。
【０００９】
第１〜第４符号器１１〜１４は、各々対応する第１〜第４テールビット発生器１２１〜１２４から出力されるデータを符号化して出力する。ここで、前記符号器１１〜１４は、Ｋ＝９の拘束長及びＲ＝１／３の符号化率を有するたたみ込み符号器（ｃｏｎｖｏｌｕｔｉｏｎａｌ　ｅｎｃｏｄｅｒ）を使用することができる。この場合、前記第１符号器１１は、前記第１テールビット発生器１２１から出力される１９２ビットのデータを符号化して５７６シンボルとして出力し、この時のシンボルレートはフルレートになる。前記第２符号器１２は前記第２テールビット発生器１２２から出力される９６ビットのデータを符号化して２８８シンボルとして出力し、この時のシンボルレートはフルレートの１／２になる。前記第３符号器１３は前記第３テールビット発生器１２３から出力される５４ビットのデータを符号化して１６２シンボルとして出力し、この時のシンボルレートはフルレートの約１／４になる。前記第４符号器１４は前記第４テールビット発生器１２４から出力される３０ビットのデータを符号化して９０シンボルとして出力し、この時のシンボルレートはフルレートの１／８になる。
【００１０】
レートマッチング器２０は、反復器（ｒｅｐｅａｔｅｒ）２２〜２４及びシンボル除去器（ｓｙｍｂｏｌ　ｄｅｌｅｔｉｏｎ）２７〜２８で構成され、反復器２２〜２４は、各々対応するシンボルレートをフルレートに調整するために第２〜第４符号器１２〜１４から出力されるシンボルを対応する設定回数に各々反復出力する。そして、シンボル除去器２７〜２８は、前記反復器２３，２４から出力されるシンボルのうち、フルレートを超えるシンボルを除去する。即ち、前記反復器２２〜２４は、各々受信されるシンボルを反復出力して前記フルレートのシンボル数に調整し、前記シンボル除去器２７〜２８は調整されたシンボルの数が前記フルレートのシンボル数を超える時、フルレートのシンボル数に調整するためにシンボルを除去する。従って、前記第２符号器１２から出力されるシンボルの数は第１符号器１１から出力される５７６の１／２である２８８シンボルなので、前記第２反復器２２は受信されるシンボルを２回反復して５７６シンボルに調整して出力する。また、前記第３符号器１３から出力されるシンボルの数は第１符号器１１から出力される５７６の約１／４である１６２シンボルなので、前記第３符号器２３は受信されるシンボルを４回反復して６４８シンボルに調整する。この時、前記６４８シンボルは前記フルレート５７６シンボルを超えるため、第３シンボル除去器２７は毎９番目のシンボルを除去して５７６のフルレートシンボル数に調整して出力する。そして、前記第４符号器１４から出力されるシンボルの数は第１符号器１１から出力される５７６の約１／８である９０シンボルなので、前記第４反復器２４は受信されるシンボルを８回反復して７２０シンボルに調整する。この時、前記７２０シンボルは前記フルレート５７６シンボルを超えるため、第４シンボル除去器２８は、毎５番目のシンボルを除去して５７６のフルレートシンボル数に調整して出力する。
【００１１】
第１〜第４チャネルインタリーバ３１〜３４は、前記第１符号器１１、第２反復器２２、第３シンボル除去器２７、第４シンボル除去器２８から出力されるフルレートのシンボルを各々インタリービングして出力する。
前述したようなＦＥＣ（Ｆｏｒｗａｒｄ　Ｅｒｒｏｒ　Ｃｏｒｒｅｃｔｉｏｎ）は、チャネル符号化利得（ｃｏｄｉｎｇ　ｇａｉｎ）を提供して低いＳＮＲ（Ｓｉｇｎａｌ　ｔｏ　Ｎｏｉｓｅ　Ｒａｔｉｏ）を有するチャネルに対して受信側（ｍｏｂｉｌｅ　ｓｔａｔｉｏｎ）のビットエラー率（Ｂｉｔ　Ｅｒｒｏｒ　Ｒａｔｅ：ＢＥＲ）を十分に低く維持するために使用する。前記マルチキャリアＣＤＭＡ通信システムの順方向リンクは、既存のＩＳ−９５の順方向リンクチャネルと同一の周波数帯域を共有する重畳方式（ｏｖｅｒｌａｙ　ｍｅｔｈｏｄ）を使用することができるが、このような重畳方式は次の問題点を抱えている。
【００１２】
現在提案された前記重畳方式の一つには、既存のＩＳ−９５ＣＤＭＡシステムで使用する三つの１．２５ＭＨｚ帯域幅上に三つのマルチキャリアシステムの順方向リンクキャリアを重畳して使用する方法がある。図３は、ＩＳ−９５システムとマルチキャリアシステムに対する基地局の送信電力の大きさを各帯域単位に示したものである。このような重畳構造では既存のＩＳ−９５周波数帯域上にマルチキャリアシステムの周波数帯域が重畳されるために、基地局の送信電力又はチャネル能力（ｃｈａｎｎｅｌ　ｃａｐａｃｉｔｙ：以下、電力に含まれる）がＩＳ−９５基地局とマルチキャリア基地局間の同一の周波数帯域で共有される。このように送信電力が両システム間に共有する場合は、主に音声サービスを支援するＩＳ−９５チャネルに前記送信電力を割当てられると、マルチキャリアＣＤＭＡシステムの各キャリアに許容できる最大電力が設定される。この時、前記最大電力は一定の電力大きさを超えることができない。これは基地局の送信電力に限界があるからであり、また、多すぎる加入者にデータを伝送すると、相互干渉（ｉｎｔｅｒｆｅｒｅｎｃｅ）が増加して雑音が大きくなるからである。前記図３は、１．２５ＭＨｚ周波数帯域でＩＳ−９５基地局とマルチキャリア基地局から加入者に割当てられる送信電力が同一であると仮定した状態を示している。
【００１３】
しかし、前記１．２５ＭＨｚ帯域のＩＳ−９５チャネルは、サービスを受ける加入者の変化や加入者の音声アクティビティー（ｖｏｉｃｅ　ａｃｔｉｖｉｔｙ）の変化などによって異なる基地局送信電力を有する。図４及び図５はＩＳ−９５加入者の使用が急増してＩＳ−９５の送信電力が増加すると、相対的にマルチキャリアシステムのキャリアを出力するための送信電力が低くなる場合を示している。この場合、マルチキャリア中いずれか一つのキャリア又はそれ以上のキャリアに十分なる送信電力が割当てられないために、受信側はキャリア毎に異なるＳＮＲを有することになり、従って、前記ＳＮＲの低いキャリアで受信される信号のＢＥＲが増加する。即ち、前記ＩＳ−９５システムの加入者数が多く、音声アクティビティーも高い状況では、該当周波数帯域上に重畳されるキャリアを通じて伝送された信号のＢＥＲが増加されてシステムの能力が劣化し、ＩＳ−９５加入者に対する干渉が増加してしまう。即ち、前記重畳構造は、マルチキャリアシステムの能力劣化とＩＳ−９５加入者に対する干渉の増加を招くという問題がある。
【００１４】
前記図４及び図５に示すように、前記マルチキャリアシステムで各キャリアは独立した送信電力を有することができる。前記図４及び図５に対する性能（ｐｅｒｆｏｒｍａｎｃｅ）側面から見れば、前記図４の性能は、１／２レートチャネル符号器を使用する場合と略同一になり、図５はチャネル符号器を使用しない場合よりも悪い性能を示す。この場合、入力データに対する三つの符号化したビット（即ち、シンボル）の中１個のビット又は２個のビットが伝送されなく、この結果、システム性能が劣化してしまう。
また、単一キャリアを使用するＤＳ−ＣＤＭＡ（Ｄｉｒｅｃｔ　Ｓｐｒｅａｄｉｎｇ　ＣＤＭＡ）通信システムでもチャネル符号化によって生成されるシンボルのウェイト分布（ｗｅｉｇｈｔ　ｄｉｓｔｒｉｂｕｔｉｏｎ）が不良であるために、チャネル復号の性能劣化が生ずる恐れがある。
【００１５】
【課題を解決するための手段】
従って、本発明の目的は、ＣＤＭＡ通信システムで優秀なチャネル復号性能を有する符号化データを生成できるチャネル符号化装置及び方法を提供することにある。
本発明の他の目的は、マルチキャリアを使用するＣＤＭＡ通信システムで、優秀なチャネル復号性能を有するチャネル符号化データを生成し、前記生成されたチャネル符号化データを各キャリアに有効に分配できるチャネル符号化装置及び方法を提供することにある。
【００１６】
本発明のさらに他の目的は、マルチキャリアを使用するＣＤＭＡ通信システムで、伝送過程中に損傷されたシンボルの影響を最小化するよう前記生成されるシンボルをキャリアに分配できるチャネル送信装置及び方法を提供することにある。
本発明のさらに他の目的は、ＣＤＭＡ通信システムのチャネル送信器で、チャネル性能を向上させられる１／６たたみ込み符号装置及び方法を提供することにある。
【００１７】
前記の目的を達成するために、本発明は、少なくと二つのキャリアを使用するＣＤＭＡ通信システムのチャネル送信装置において、送信するチャネルデータを設定された符号化率に従ってチャネル符号化してシンボルを発生するチャネル符号器と、予め設定されたシンボル切断マトリックスパターンに基づいて前記シンボルの分配信号を発生し、前記シンボル切断マトリックスパターンが、特定キャリアが損傷されても性能劣化が最小化するよう前記シンボルを各キャリアに分配するためのパターンであるチャネル制御器と、前記シンボルを受信し、前記シンボル分配信号に応じて前記受信されるシンボルを選択して対応される前記キャリアに分配するシンボル分配器と、から構成されることを特徴とする。
【００１８】
さらに、前記の目的を達成するために、本発明のチャネル符号化装置が、入力されるデータビットを遅延して第１〜第８遅延データを発生する複数の遅延器と、前記入力データ及び第３、第５、第６、第７、第８遅延データを排他的論理和して第１シンボルを生成する第１演算器と、前記入力データ及び第１、第２、第３、第５、第６、第８遅延データを排他的論理和して第２シンボルを生成する第２演算器と、前記入力データ及び第２、第３、第５、第８遅延データを排他的論理和して第３シンボルを生成する第３演算器と、前記入力データ及び第１、第４、第５、第６、第７、第８遅延データを排他的論理和して第４シンボルを生成する第４演算器と、前記入力データ及び第１、第４、第６、第８遅延データを排他的論理和して第５シンボルを生成する第５演算器と、前記入力データ及び第１、第２、第４、第６、第７、第８遅延データを排他的論理和して第６シンボルを生成する第６演算器と、からなることを特徴とする。
【００１９】
【発明の実施の形態】
以下、本発明に従う好適な実施形態を添付図面を参照しつつ詳細に説明する。なお、図面中、同一な構成要素及び部分には、可能な限り同一な符号及び番号を共通使用するものとする。
そして、以下の説明では、具体的な特定事項が示しているが、これに限られることなく本発明を実施できることは、当技術分野で通常の知識を有する者には自明である。また、関連する周知技術については適宜説明を省略するものとする。
【００２０】
下記の説明で、‘シンボル’という用語は、符号器から出力される符号化したデータビットと同じ意味を有する。そして、説明の便宜上、マルチキャリアを使用する通信システムを、三つのキャリアを使用するマルチキャリアＣＤＭＡ通信システムと仮定する。
前記ＩＳ−９５方式とマルチキャリア方式を支援する通信システムで、二つの相異なる方式の送信信号を同一周波数帯域に重畳させて送信する場合、損傷されたシンボルの復号時に性能低下を最小限に抑えるようチャネル符号化したビットを分類した後、前記分類されたビットを各マルチキャリアに割当てる。こうすると、受信時にいずれか一つのキャリアの干渉が酷い場合にも他のキャリアを通じて伝送される符号化したビットだけで復号が可能になり、システムの性能が改善できる。
【００２１】
また、順方向リンクで、チャネル符号器は１／６の符号化率を使用するたたみ込み符号器を使用することができる。従って、チャネル符号器で１／６たたみ込み符号を生成する場合、復号性能の優秀な１／６たたみ込み符号を捜すのは非常に困難である。従って、本発明の実施形態では復号性能の優秀な１／６たたみ込み符号を生成し、このように生成された１／６たたみ込み符号をマルチキャリアに分配する動作について述べる。また、前述したように生成される１／６たたみ込み符号はマルチキャリアＣＤＭＡ通信システムとＤＳ−ＣＤＭＡ通信システムの両方ともに優秀な性能を示す。
【００２２】
本発明の実施形態によるＣＤＭＡ通信システムでチャネル性能を極大化するためのシンボルを生成し、このように生成されたシンボルを分配する動作を具体的に調べてみる。以下の説明ではマルチキャリアＣＤＭＡ通信システムを中心に述べる。
まず、三重キャリアを使用するＣＤＭＡ通信システムで伝送率が１／６であるたたみ込み符号について述べる。図６は、本発明の実施形態による符号器とシンボル分配器の構成を示す図である。
【００２３】
前記図６を参照すれば、入力データ１ビットに対してたたみ込み符号器６０１の出力シンボルは６個になり、このように発生される６個のシンボルは三つのキャリアに割当てられる。シンボル分配器６０２は前記入力された６ビットを２ビットずつ分配して三つのキャリアに均等に割当てる。前記シンボル分配器６０２は、たたみ込み符号器の出力シンボルを三つのキャリアに供給する時、三つのキャリア中一つのキャリアが損傷される場合と、三つのキャリア中二つのキャリアが損傷される場合を考慮に入れて分配を行う。このような分配方法を用いると、三つのキャリア中一つ或いは二つのキャリアが損傷されてもチャネル復号器の性能低下が最小限に抑えられる。
【００２４】
前記シンボル分配器６０２を設計する方法は、下記の説明によってさらに明らかになる。チャネル符号化器で符号化されたシンボルの損傷部分によってチャネル復号後ビットエラー率の性能が変わる。従って、前記符号化したシンボルが損傷されても性能低下が最小になる部分のシンボルをキャリア数に対応するよう分類した後、これら分類されたシンボルを各キャリアに供給することによって、特定キャリアの符号化したシンボルが全部損傷されてもチャネル復号後のビットエラー率を最小化できる。
【００２５】
また、前記チャネル符号化器内の構成符号器の出力シンボルをキャリア数に対応するよう分類して伝送し、復号時特定キャリアの符号化したシンボルが全部損傷されても低いビットエラー率を有するようチャネル符号器内の構成符号器を選択する。
前記チャネル符号化器内の構成符号器の選択は、下記の過程によって行われる。まず、拘束長（ｃｏｎｓｔｒａｉｎｔ　ｌｅｎｇｔｈ）が９（Ｋ＝９）であり、伝送率が１／３（Ｒ＝１／３）であるたたみ込み符号について調べてみる。下記の説明で、生成多項式ｇｉは全て８進数（ｏｃｔａｌ　ｎｕｍｂｅｒ）で表現される。前記Ｋ＝９、Ｒ＝１／３であるたたみ込み符号の自由距離（Ｆｒｅｅ　Ｄｉｓｔａｎｃｅ）ｄｆｒｅｅ＝１８である。生成多項式（ｇｅｎｅｒａｔｏｒ　ｐｏｌｙｎｏｍｉａｌ）ｇ１、ｇ２、ｇ３を任意に変更しながらｄｆｒｅｅ＝１８、Ｋ＝９、Ｒ＝１／３であるたたみ込み符号を完全に探索した所、５６８５個の組合せが存在することが判った。ここで、ノンカタストロフィック（ｎｏｎ−ｃａｔａｓｔｒｏｐｈｉｃ）な場合に該当する符号だけを選択した。そして、マルチキャリア方式に適用する場合に備えて、特定キャリアが完全にオフされても性能劣化を最小化する必要がある。この観点から、自由距離を可能な限り最大化するのが望ましい。
【００２６】
前記性能比較のための基準符号としては既存のＩＳ−９５システムで使用しているたたみ込み符号（ｇ１、ｇ２、ｇ３）＝（５５７，６６３，７１１）を使用すると仮定する。前記ＩＳ−９５のたたみ込み符号の自由距離ｄｆｒｅｅ＝１８であり、構成符号間の自由距離ｄｆｒｅｅ（ｇ５５７、ｇ６６３）＝９、ｄｆｒｅｅ（ｇ５５７、ｇ７１１）＝１１、ｄｆｒｅｅ（ｇ６６３、ｇ７１１）＝１０である。前記たたみ込み符号の性能はビットエラー率の上限式（ＢＥＲ　ｕｐｐｅｒ　ｌｍｉｔ　ｆｏｒｍｕｌａ）を用いて予測できるが、これは伝達関数（ｔｒａｎｓｆｅｒ　ｆｕｎｃｔｉｏｎ）によって決定される。
【００２７】
前記ＩＳ−９５たたみ込み符号の伝達関数Ｔ（Ｄ，Ｉ）｜Ｉ＝１＝５Ｄ１８＋７Ｄ２０＋Ｏ（Ｄ２１）であり、ＢＥＲ上限式（∂／∂Ｉ）Ｔ（Ｄ，Ｉ）｜Ｉ＝１＝１１Ｄ１８＋３２Ｄ２０＋Ｏ（Ｄ２１）である。ＩＳ−９５たたみ込み符号を構成符号の観点から見れば、生成多項式（ｇ１、ｇ３）の組合せでカタストロフィックエラー拡散（ｐｒｏｐａｇａｔｉｏｎ）が発生する。従って、ＩＳ−９５たたみ込み符号をマルチキャリアシステムに使用する場合はインタリービングと穿孔（ｐｕｃｔｕｒｉｎｇ）を適切に使用する必要がある。前記ＩＳ−９５たたみ込み符号が構成符号の観点からカタストロフィックエラー拡散を有するために、マルチキャリアシステムに適する新規のたたみ込み符号を捜す必要がある。Ｋ＝９の場合、ｄｆｒｅｅ（ｇｉ、ｇｊ）≦１２である。完全なるコンピュータ探索から、構成符号間の自由距離が常に１２であるたたみ込み符号は存在しないことが判った。従って、ｄｆｒｅｅ（ｇｉ、ｇｊ）≧１１の自由距離を有する８個の符号だけが存在する。ここで、符号の以外に、構成符号もノンカタストロフィックである。ＢＥＲ上限式の一番目の項が最も大きな影響を与えるために、１番と８番に該当する符号が最適の符号であると言える。ここで、注目すべき点は、１番と８番、２番と７番、３番と４番、５番と６番は、互いに逆多項式（ｒｅｃｉｐｒｏｃａｌ）関係にあるために、本質的には互いに同一の符号となる。従って、四つの符号が存在すると言える。
【００２８】
下記の表１は、Ｋ＝９、Ｒ＝１／３であるたたみ込み符号器の符号化特性を説明するためのものである。
【表１】
2004007646.tif 000003
【００２９】
前記表１において、１番目の項でｄ１２はｄ（４６７，５４３）を意味し、以下の各番号とも全て同じ意味として使用された。ＢＥＲ上限式の１番目の項の観点から見ると、ＩＳ−９５符号に比べて、１番と８番の符号はさらに優秀であり、３，４，５，６番の符号は略同一であり、２番、７番はやや劣っている。従って、８番目（或いは１番目）の符号を使用するのが望ましい。
【００３０】
一方、成分符号の自由距離が１２，１２，１０になる符号も少なくとも４個以上存在し、この中、ＢＥＲ上限式の１番目の項に対する観点から優秀な生成多項式は（ｇ１、ｇ２、ｇ３）＝（５１５，５６７，６７７）である。図１０は、三重マルチキャリアシステムが各キャリアの損傷無しに最適の性能を有する場合、白色ガウス雑音（ＡＷＧＮ：Ａｄｄｉｔｉｖｅ　Ｗｈｉｔｅ　Ｇａｕｓｓｉａｎ　Ｎｏｉｓｅ）環境におけるＲ＝１／３のたたみ込み符号の性能を調べたシミュレーション結果である。以下、図１１乃至図１３の各シミュレーション環境は全て白色ガウス雑音（ＡＷＧＮ）環境である。＜ｃａｓｅ１＞は現在ＩＳ−９５で使用中のＲ＝１／３のたたみ込み符号である。そして、＜ｃａｓｅ２＞、＜ｃａｓｅ３＞は前記方法を通じて捜したＲ＝１／３のたたみ込み符号である。
【００３１】
2004007646.tif 000004
【００３２】
前記Ｒ＝１／３のたたみ込み符号を三重マルチキャリアシステムに適用し、その中一つの特定キャリアが損傷される場合について調べてみる。元の伝送率が１／３であるが、一つのキャリアがなくなると伝送率は１／２と同一になる。従って、１／３たたみ込み符号の生成多項式を用いた１／２たたみ込み符号の性能を比較したシミュレーション結果は図１１のようである。前記図１１で各々の条件は下記＜ｃａｓｅ１＞〜＜ｃａｓｅ４＞によって説明される。前記図１１はＲ＝１／３のたたみ込み符号の生成多項式を用いたＲ＝１／２のたたみ込み符号の最悪の性能グラフである。
【００３３】
＜ｃａｓｅ１＞最適の１／２たたみ込み符号→ｇ１＝５６１、ｇ２＝７５３、ｄｆｒｅｅ（ｇ１、ｇ２）＝１２
＜ｃａｓｅ２＞ＩＳ−９５で使用された１／３たたみ込み符号（５５７，６６３，７１１）の生成多項式を用いた三つの１／２たたみ込み符号中最悪の性能ｇ１＝５５７、ｇ２＝７１１→カタストロフィックエラー拡散発生
＜ｃａｓｅ３＞生成多項式が（７３１，６１５，５３７）である１／３たたみ込み符号の生成多項式を用いた１／２たたみ込み符号の最悪の性能ｇ１＝７３１、ｇ２＝６１５（ｄｆｒｅｅ（ｇ１、ｇ２）＝１１）
＜ｃａｓｅ４＞生成多項式が（５１５，５６７，６７７）である１／３たたみ込み符号の生成多項式を用いた１／２たたみ込み符号の最悪の性能ｇ１＝５６７、ｇ２＝６７７（ｄｆｒｅｅ（ｇ１、ｇ２）＝１０）
【００３４】
前記Ｒ＝１／３のたたみ込み符号を三重マルチキャリアシステムに適用する時、一つのキャリアが損なわれる場合はＲ＝１／２たたみ込み符号と同一になる。この場合、元のＲ＝１／３のたたみ込み符号の出力を三重キャリアに適切に分配してＲ＝１／２のたたみ込み符号になっても性能劣化が最小になるよう下記のシンボル切断マトリックス（ｓｙｍｂｏｌ　ｄｅｌｅｔｉｎｇ　ｍａｔｒｉｘ）を用いてシンボル分配器の分配方法を捜す。最も簡単な方法で次の二のシンボル切断マトリックスを生成する。下記のシンボル切断マトリックスで‘０’は該当符号化したシンボルが供給されたキャリアが損傷された場合を意味し、‘１’はキャリアの損傷がない場合を意味する。即ち、‘０’に該当するシンボルを一つの特定キャリアに全部割当てた場合、そのキャリアが伝送中損傷された場合を意味する。従って、下記のシンボル切断マトリックスの諸パターンから、一つのキャリアが損傷されても性能劣化が最小になるパターンを選定し、このパターンを用いてシンボル分配器６０２では各キャリアにチャネル符号化したシンボルを供給すればいい。前記シンボル分配器６０２で使用するパターンを捜すためのシンボル切断マトリックスは次のようである。
【００３５】
【数１】
2004007646.tif 000005
そして、ｍ−シーケンス（ｍ−ｓｅｑｕｅｎｃｅ）を用いて２段のＧＦ（３）上でｍ−シーケンス（長さ＝８）を発生させ、９番目のたたみ込み符号について｛１，２，０，２，２，１，０，１，２｝という数列を生成し、これを用いて次のようなシンボル切断マトリックスＤ３を生成する。
【００３６】
【数２】
2004007646.tif 000006
そして、Ｄ３の行を変えてＤ４とＤ５を生成する。
【００３７】
【数３】
2004007646.tif 000007
また、ランダムナンバー（ｒａｎｄｏｍ　ｎｕｍｂｅｒ）を用いてＧＦ（３）上で１５個のランダムナンバーを発生させて数列｛２，１，０，１，１，０，１，２，１，０，０，０，２，１，２｝を得、これを用いて次のようなシンボル切断マトリックスＤ６を生成する。
【００３８】
【数４】
2004007646.tif 000008
そして、ｍ−シーケンスを用いた方法と同様に、行を変えながらＤ７とＤ８を次のように生成する。
【００３９】
【数５】
2004007646.tif 000009
一方、伝送率が１／６であるたたみ込み符号について調べてみる。Ｋ＝９、Ｒ＝１／６のたたみ込み符号の自由距離ｄｆｒｅｅ＝３７である。生成多項式ｇ１、ｇ２、．．．．，ｇ６を任意に変えながらｄｆｒｅｅ＝３７を有するたたみ込み符号を検索する場合、次の条件を満足すべきである。
第一に、優秀な復号性能を有する１／６たたみ込み符号であること。
第二に、三重マルチキャリアシステムで一つのキャリアが損なわれた場合を考慮に入れた生成多項式（ｇ１、ｇ２、ｇ３、ｇ４）、（ｇ１、ｇ２、ｇ５、ｇ６）、（ｇ３、ｇ４、ｇ５、ｇ６）を有する１／４たたみ込み符号の性能が優秀であること。
【００４０】
第三に、三重マルチキャリアシステムで二つのキャリアが損なわれた場合を考慮した生成多項式（ｇ１、ｇ２）、（ｇ３、ｇ４）、（ｇ５、ｇ６）を有する１／２たたみ込み符号の性能が優秀であること。
前記条件中、第二及び第三の条件は、たたみ込み符号の６出力ビットが２ビット単位に三つのキャリアに割当てられるマルチキャリア方式に適用される場合に備えて、一つ或いは二つの特定キャリアが完全にオフされても性能劣化を最小化するためのものである。この観点から、各々の１／４たたみ込み符号と１／２たたみ込み符号が可能な限り最大の自由距離を有するのが望ましい。
【００４１】
前記第三の条件を満足する１／２たたみ込み符号を捜す方法は下記の説明によって明らかになる。符号化率が１／２、拘束長が９、自由距離が１２であるノンカタストロフィックたたみ込み符号は３５個存在する。ＢＥＲ上限式は下記のように与えられ、ビットエラー率を決定する上で最も重要な項であるＤ１２の係数ｃ１２の範囲は３３〜１２３と与えられる。
（∂／∂Ｉ）Ｔ（Ｄ，Ｉ）｜Ｉ＝１＝ｃ１２Ｄ１２＋ｃ１３Ｄ１３＋・・・
【００４２】
まず、１／６たたみ込み符号を捜すと、自由距離が３７であり、第三の条件を満足する１／６たたみ込み符号は総１８０個存在する。前記ｄｆｒｅｅ（ｇ２ｉ−１，ｇ２ｉ）＝１２を使用すると仮定する。ここで、１／６たたみ込み符号に対するＢＥＲの上限式の第一項の係数がｃ３７＝１であるたたみ込み符号は、総５８個存在する。この中、一次的に性能検証後選定した１／６たたみ込み符号は次のようである。
【００４３】
１）（４５７，７５５，５５１，６３７，５２３，７２７）：ｃ３８＝４（ＮＯ＝１）
２）（４５７，７５５，５５１，６３７，６２５，７２７）：ｃ３８＝４（ＮＯ＝３）
３）（４５７，７５５，４５５，７６３，６２５，７２７）：ｃ３８＝４（ＮＯ＝５）
４）（５１５，６７７，４５３，７５５，５５１，７１７）：ｃ３８＝６（ＮＯ＝７）
５）（５１５，６７７，４５３，７５５，５５１，７１７）：ｃ３８＝６（ＮＯ＝９）
６）（５１５，６７７，５５７，６５１，４５５，７４７）：ｃ３８＝６（ＮＯ＝１１）
７）（４５７，７５５，４６５，７５３，５５１，６３７）：ｃ３８＝６（ＮＯ＝１３）
８）（５１５，６７７，５５１，７１７，５３１，６５７）：ｃ３８＝８（ＮＯ＝２７）
９）（５１５，６７７，４５５，７４７，５３１，６５７）：ｃ３８＝８（ＮＯ＝２９）
１０）（４５３，７５５，５５７，７５１，４５５，７４７）：ｃ３８＝１０（ＮＯ＝３１）
１１）（５４５，７７３，５５７，６５１，５５１，７１７）：ｃ３８＝１２（ＮＯ＝５１）
１２）（４５３，７５５，４５７，７５５，４５５，７４７）：ｃ３８＝２０（ＮＯ＝５７）
【００４４】
一次的に性能検証した１／６たたみ込み符号のうち、優れた性能を有する符号として下記の５個の１／６たたみ込み符号を選択する。
１）（４５７，７５５，５５１，６３７，５２３，７２７）：ｃ３８＝４（ＮＯ＝１）
２）（５１５，６７７，４５３，７５５，５５１，７１７）：ｃ３８＝６（ＮＯ＝７）
３）（５４５，７７３，５５７，６５１，４５５，７４７）：ｃ３８＝６（ＮＯ＝８）
４）（５１５，６７７，５５７，６５１，４５５，７４７）：ｃ３８＝６（ＮＯ＝１１）
５）（５１５，６７７，４５５，７４７，５３１，６５７）：ｃ３８＝８（ＮＯ＝２９）
【００４５】
前記５個の１／６たたみ込み符号の生成多項式を用いた１／２たたみ込み符号の性能を検証し、また、前記５個の１／６たたみ込み符号の生成多項式を用いた１／４たたみ込み符号の性能を検証する。まず、１／２たたみ込み符号の伝達関数は次の表２で示される。次の表２で生成多項式は８進数である。
【００４６】
【表２】
2004007646.tif 000010
2004007646.tif 000011
前記表２に示した１／２たたみ込み符号を用いて各々の性能を検証して最も性能の優秀な１／２たたみ込み符号を捜す。そして、この１／２たたみ込み符号とＩＳ−９５に使用される最適の１／２たたみ込み符号との性能を比較する。
【００４７】
＜ｃａｓｅ１＞生成多項式→（４３５，６５７）８、ＮＯ＝１、ｃ１２＝３３
＜ｃａｓｅ２＞生成多項式→（５６１，７５３）８、ＮＯ＝２、ｃ１２＝３３、ＩＳ−９５に使用された最適の１／２たたみ込み符号
＜ｃａｓｅ３＞生成多項式→（５５７，７５１）８、ＮＯ＝７、ｃ１２＝４０
＜ｃａｓｅ４＞生成多項式→（４５３，７５５）８、ＮＯ＝９、ｃ１２＝４０
＜ｃａｓｅ５＞生成多項式→（４７１，６７３）８、ＮＯ＝１１、ｃ１２＝５０
＜ｃａｓｅ６＞生成多項式→（５３１，６５７）８、ＮＯ＝１７、ｃ１２＝５２
＜ｃａｓｅ７＞生成多項式→（５６１，７５５）８、ＮＯ＝２２、ｃ１２＝５７
＜ｃａｓｅ８＞生成多項式→（４６５，７７１）８、ＮＯ＝２４、ｃ１２＝５８
【００４８】
前記各々の場合に対する性能比較は図１２のようである。前記図１２は、Ｒ＝１／６のたたみ込み符号のための１／２構成符号の性能比較特性を示している。前記図１２に示すように、１／６たたみ込み符号の１／２構成符号各々の性能も最適の１／２たたみ込み符号とほぼ同一であることが判る。
表３は、１／６たたみ込み符号の伝達関数を示したものである。
【００４９】
【表３】
2004007646.tif 000012
2004007646.tif 000013
2004007646.tif 000014
前記表３を参考にして、最も性能の優秀な１／６たたみ込み符号５個を用いた１／２構成符号の最悪の性能を比較すれば次のようである。
【００５０】
＜ｃａｓｅ１＞生成多項式が（４５７，７５５，５５１，６３７，５２３，７２７）８である１／６たたみ込み符号（ＮＯ＝１）の最悪の性能→（５２３，７２７）８、ｃ１２＝６８
＜ｃａｓｅ２＞生成多項式が（５１５，６７７，４５３，７５５，５５１，７１７）８である１／６たたみ込み符号（ＮＯ＝７）の最悪の性能→（５１５，６７７）８、ｃ１２＝３８
＜ｃａｓｅ３＞生成多項式が（５４５，７７３，５５７，６５１，４５５，７４７）８である１／６たたみ込み符号（ＮＯ＝８）の最悪の性能→（５４５，７７３）８、ｃ１２＝３８
＜ｃａｓｅ４＞生成多項式が（５５１，６７７，５５７，６５１，４５５，７４７）８である１／６たたみ込み符号（ＮＯ＝１１）の最悪の性能→（５５１，６７７）８、ｃ１２＝３８
＜ｃａｓｅ５＞生成多項式が（５１５，６７７，４５５，７４７，５３１，６５７）８である１／６たたみ込み符号（ＮＯ＝２９）の最悪の性能→（５１５，６７７）８、ｃ１２＝３８
【００５１】
前記１／２構成符号について性能を検証した１／６たたみ込み符号を用いて１／４構成符号について最悪の性能を調べてみれば次のようである。
＜ｃａｓｅ１＞生成多項式が（４５７，７５５，５５１，６３７，５２３，７２７）８である１／６たたみ込み符号（ＮＯ＝１）の最悪の性能→（５５１，６３７，５２３，７２７）８、ｃ２４＝５
＜ｃａｓｅ２＞生成多項式が（５１５，６７７，４５３，７５５，５５１，７１７）８である１／６たたみ込み符号（ＮＯ＝７）の最悪の性能→（５１５，６７７，５５１，７１７）８、ｃ２４＝２
＜ｃａｓｅ３＞生成多項式が（５４５，７７３，５５７，６５１，４５５，７４７）８である１／６たたみ込み符号（ＮＯ＝８）の最悪の性能→（５４５，７７３，４５５，７４７）８、ｃ２４＝２
＜ｃａｓｅ４＞生成多項式が（５５１，６７７，５５７，６５１，４５５，７４７）８である１／６たたみ込み符号（ＮＯ＝１１）の最悪の性能→（５５１，６７７，５５７，６５１）８、ｃ２４＝４
＜ｃａｓｅ５＞生成多項式が（５１５，６７７，４５５，７４７，５３１，６５７）８である１／６たたみ込み符号（ＮＯ＝２９）の最悪の性能→（５１５，６７７，５３１，６５７）８、ｃ２４＝６
【００５２】
図１３は、最も性能の優秀な１／６たたみ込み符号を用いた１／２構成符号の最悪の性能比較特性を示す図である。
前記の方法で多様な場合について性能検証を行った１／６たたみ込み符号のうち、性能の優秀な符号として次の二つの１／６たたみ込み符号を選択する。
１）（５１５，６７７，４５３，７５５，５５１，７１７）８：ｃ３８＝６（ＮＯ＝７）　２）（５４５，７７３，５５７，６５１，４５５，７４７）８：ｃ３８＝６（ＮＯ＝８）
【００５３】
そして、三重マルチキャリア伝送システムで使用したシンボル切断パターンを捜すために、一つのキャリアが損なわれた場合、即ち１／６たたみ込み符号から１／４たたみ込み符号に変換される状況について多様なシンボル切断マトリックスを考慮する。このようにシンボル切断マトリックスパターンを捜す理由は、Ｒ＝１／３のシンボル切断マトリックスでの理由と同一である。１／６たたみ込み符号のシンボル分配方法のために使用されるシンボル切断マトリックスパターンには次のような種類がある。
【００５４】
【数６】
2004007646.tif 000015
2004007646.tif 000016
三重マルチキャリアシステムで、二つのキャリアが損傷された場合を考慮して性能の優秀な１／６たたみ込み符号の生成多項式を用いた１／２シンボル切断されたたたみ込み符号のシンボル分配方法として下記のシンボル切断マトリックスパターンを使用しても良い。
【００５５】
【数７】
2004007646.tif 000017
2004007646.tif 000018
図６は、本発明の実施形態によるたたみ込み符号器６０１とシンボル分配器６０２を示すものである。一実施形態としてＲ＝１／６たたみ込み符号器を使用し、生成多項式（５４５，７７３，５５７，６５１，４５５，７４７）８を使用する。前記Ｒ＝１／６たたみ込み符号器の内部構造は図７に示してある。
前記図７を参照すれば、入力データビットが入力されると、遅延器７１１−Ａ〜７１１−Ｈは入力されるデータビットを順次に遅延し、順次にデータが通過する間、排他的論理和器７２１−Ａ〜７２１−Ｆから符号化したシンボルが出力される。前記図７のたたみ込み符号化したシンボルは、図８のような構成を有するシンボル分配器６０２に供給される。
【００５６】
前記図８は簡単なスイッチ装置を用いてシンボル分配器６０２の構成を具現した一例を示す図である。前記図８で、スイッチ８１１−Ａ及び８１１−Ｂを制御するクロックのシンボルレートがシンボル分配器６０２のシンボルレートの６倍以上であれば、前記シンボル分配器６０２内でシンボルの損失無しに分配作業が十分に行われる。即ち、前記図８のスイッチ８１１−Ａは順次にｇ１、ｇ２、ｇ３、ｇ４、ｇ５、ｇ６、ｇ１、ｇ２、ｇ３、・・・を受信し、スイッチ８１１−Ｂは入力シンボルを出力端ｃ１、ｃ２、ｃ３、ｃ４、ｃ５、ｃ６に分配する。
図９は、前記図６のチャネル符号器６０１及びシンボル分配器６０２を含む伝送構造を示す図である。
【００５７】
前記図９を参照すれば、第１〜第４ＣＲＣ発生器９１１〜９１４は、入力されるデータに各々対応するビットのＣＲＣデータを加える。この時、第１レートの１７２ビットデータには１２ビットのＣＲＣを加え、第２レートの８０ビットデータには８ビットのＣＲＣデータを加え、第３レートの４０ビットデータには６ビットのＣＲＣデータを加え、第４レートの１６ビットデータには６ビットのＣＲＣデータを加える。第１〜第４テールビット発生器９２１〜９２４は、前記ＣＲＣデータの加えられたデータの各々に対して８ビットのテールビットを加えて出力する。従って、第１テールビット発生器９２１の出力は１９２ビットになり、第２テールビット発生器９２２の出力は９６ビットになり、第３テールビット発生器９２３の出力は５４ビットになり、第４テールビット発生器９２４の出力は３０ビットになる。
【００５８】
第１〜第４符号器９３１〜９３４は、各々対応する第１〜第４テールビット発生器９２１〜９２４から出力されるデータを符号化して出力する。ここで、前記符号器９３１〜９３４は拘束長が９（Ｋ＝９）であり、Ｒ＝１／６であるたたみ込み符号器を使用することができる。この場合、前記第１符号器９３１は、前記第１テールビット発生器９２１から出力される１９２ビットのデータを符号化して１１５２シンボルとして出力し、この時のレートはフルレートになる。前記第２符号器９３２は、前記第２テールビット発生器９２２から出力される９６ビットのデータを符号化して５７６シンボルとして出力し、この時のレートはフルレートの１／２になる。前記第３符号器９３３は、前記第３テールビット発生器９２３から出力される５４ビットのデータを符号化して３２４シンボルとして出力し、この時のレートはフルレートの１／４になる。前記第４符号器９３４は、前記第４テールビット発生器９２４から出力される３０ビットのデータを符号化して１８０シンボルとして出力し、この時のレートはフルレートの１／８になる。
【００５９】
シンボル分配器９４１〜９４４は前記各々対応する符号器９３１〜９３４から出力されるシンボルを分配して出力する。この時の前記シンボル分配方法によれば、チャネル制御器（図示せず）が、符号化したシンボルを同一周波数帯域で他の方式のシンボルと重畳させて送信する時点で、損傷された受信ビットの復号時最小限の性能低下を有するようチャネル符号化したビットを分類するための制御信号を発生し、前記シンボル分配器９４１〜９４４は、各々対応する符号器９３１〜９３４から出力されるシンボルを前記制御信号に応じて対応するマルチキャリアに割当てる。
【００６０】
レートマッチング器９５１〜９５３は、各々反復器、シンボル除去器及びシンボル反復器などを備える。前記レートマッチング器９５１〜９５３は、各々対応するシンボル分配器９４２〜９４４から出力される５７６，３２４、１８０シンボルレートを前記シンボル分配器９４１から出力される１１５２シンボルレートと同一のレートにマッチングさせる。第１〜第４チャネルインタリーバ９６１〜９６４は対応するシンボル分配器９４１、レートマッチング器９５１〜９５３から各々出力されるシンボルを各々インタリービングして出力する。
ＤＳ−ＣＤＭＡ通信システムでは、前記図９のような構造を有するチャネル送信器で前記シンボル分配器９４１〜９４４を省略しても良い。
【００６１】
前述の如く、周波数重畳方式を用いるマルチキャリアシステムでは、既存のＩＳ−９５システムの周波数帯域内のローディングによって各キャリアが限定された送信電力を有し、その結果、一つ又はそれ以上のキャリア周波数帯域で受信される情報を損失する恐れがある。このような問題点を解決するために、チャネル符号器の生成多項式とシンボル分配方法を用いると、キャリアの損失による情報損失について高い符号化利得を提供することができ、従って、ビットエラー率（ＢＥＲ）の低下が防止できる。
一方、前記本発明の詳細な説明では具体的な実施形態に上げて説明してきたが、本発明の範囲内で様々な変形が可能であるということは勿論である。従って、本発明の範囲は前記実施形態によって限られてはいけなく、特許請求の範囲とそれに均等なものによって定められるべきである。
【図面の簡単な説明】
【図１】従来のＣＤＭＡ通信システムでマルチキャリアを使用する順方向リンクの構造を示す図である。
【図２】図１の順方向リンクの基本チャネルの構造を示す図である。
【図３】マルチキャリアを使用する順方向リンク構造で、ＩＳ−９５チャネルとマルチキャリアチャネルが同一の周波数帯域上に重畳されて運用される場合、ＩＳ−９５チャネル帯域とマルチキャリアチャネル帯域の電力分配を示す図である。
【図４】システムの送信電力限界又は送信能力限界によってＩＳ−９５チャネルの電力の強さが増加する時、該当するマルチキャリア中一つの送信電力が相対的に減少する場合を説明するための図である。
【図５】システムの送信電力限界又は送信能力限界によってＩＳ−９５チャネルの電力強さが増加する時、該当するマルチキャリア中二つのの送信電力が相対的に減少する場合を説明するための図である。
【図６】本発明のシンボル分配器及びチャネル符号化器の構造を使用した伝送率１／６のたたみ込み符号を発生する構造を示す図である。
【図７】図６の伝送率１／６のたたみ込み符号器の詳細構成図である。
【図８】図６のシンボル分配器の詳細構成図である。
【図９】本発明のシンボル分配器及びチャネル符号化器を用いた順方向リンクの伝送構造を示す図である。
【図１０】本発明の実施形態によって１／３符号化率を有するたたみ込み符号器の性能を比較したシミュレーション結果を示す図である。
【図１１】１／３の符号化率を有するたたみ込み符号器の生成多項式を用いた１／２符号化率を有するたたみ込み符号器の最悪の性能を比較したシミュレーション結果を示す図である。
【図１２】Ｒ＝１／６のたたみ込み符号のための１／２構成符号の性能を比較したシミュレーション結果を示す図である。
【図１３】最良の性能を有する１／６符号化率のたたみ込み符号器を用いた１／２構成符号の最悪の性能を比較したシミュレーション結果を示す図である。
【符号の説明】
６０１…チャネル符号器
６０２…シンボル分配器
９１１〜９１４…第１〜第４ＣＲＣ発生器
９２１〜９２４…第１〜第４テールビット発生器
９３１〜９３４…第１〜第４符号器
９４１〜９４４…シンボル分配器
９５１〜９５３…レートマッチング器
９６１〜９６４…第１〜第４チャネルインタリーバ
【図１】
2004007646.tif 000019
【図２】
2004007646.tif 000020
【図３】
2004007646.tif 000021
【図４】
2004007646.tif 000022
【図５】
2004007646.tif 000023
【図６】
2004007646.tif 000024
【図７】
2004007646.tif 000025
【図８】
2004007646.tif 000026
【図９】
2004007646.tif 000027
【図１０】
2004007646.tif 000028
【図１１】
2004007646.tif 000029
【図１２】
2004007646.tif 000030
【図１３】
2004007646.tif 000031